(57)【要約】【課題】  使用者が背もたれに背を当て、さらにのけ反った場合に背中がキャビネットの角に当たって痛くなるのを防止するトイレユニットを提供する。  【解決手段】  本発明では、トイレルームに設置されるトイレユニットであって、少なくとも前面と上面がそれぞれ前板と甲板により閉塞されたキャビネットと、前記キャビネットの前板の前面下方に備えられ便座を有する便器と、前記便器の上方で前記前板の前面に取り付けられた背もたれと、を有し、前記甲板の上面の高さが前記背もたれの上面の高さよりも高いトイレユニットにおいて、前記甲板の前面で少なくとも前記背もたれの上方部分を後方に傾斜している傾斜面とした。【選択図】  図１
2014034784.tif 000002
【特許請求の範囲】
【請求項１】
トイレルームに設置されるトイレユニットであって、少なくとも前面と上面がそれぞれ前板と甲板により閉塞されたキャビネットと、前記キャビネットの前板の前面下方に備えられ便座を有する便器と、前記便器の上方で前記前板の前面に取り付けられた背もたれと、を有し、前記甲板の上面の高さが前記背もたれの上面の高さよりも高いトイレユニットにおいて、
前記甲板の前面で少なくとも前記背もたれの上方部分を後方に傾斜している傾斜面としたことを特徴とするトイレユニット。
【請求項２】
前記甲板の前面で前記背もたれの上方に凹部が形成され、前記凹部の前面が後方に傾斜している傾斜面としたことを特徴とする請求項１に記載のトイレユニット。
【請求項３】
前記傾斜面に変えて、Ｒ状面としたことを特徴とする請求項１または２に記載のトイレユニット。
【発明の詳細な説明】
【技術分野】
【０００１】
本発明は、トイレユニットに係り、特に背もたれを備えるトイレユニットに関する発明である。 
【背景技術】
【０００２】
従来のトイレユニットでは、トイレルームに設置されるキャビネットの前面下方に大便器が設置され、キャビネットの前面の上方に背もたれが設けられているキャビネットユニットが知られている。（例えば、特許文献１参照）。ここでのキャビネットの高さは、背もたれの上面の高さより高いものとなっている。
【０００３】
使用者は便座に座り、背中を背もたれで支えることができる。しかし、ズボンなどをずり下ろすために、背中を後ろにのけぞらせた場合、キャビネットの手前側上端の角が肩や首などに当たり、痛みを伴う虞があった。
【先行技術文献】
【特許文献】
【０００４】
【特許文献１】特開２００２−３８５６７号公報（図８）
【発明の概要】
【発明が解決しようとする課題】
【０００５】
本発明は、上記問題を解決するためになされたもので、本発明の課題は、キャビネットの前面に背もたれが設けられ、背もたれの高さよりもキャビネットの上面の高さが高い場合に、使用者が背もたれに背中をもたれ、さらにのけ反った場合に肩あるいは首がキャビネットの角に当たって痛くなるのを防止するトイレユニットを提供することである。
【課題を解決するための手段】
【０００６】
上記目的を達成するために請求項１記載の発明によれば、トイレルームに設置されるトイレユニットであって、少なくとも前面と上面がそれぞれ前板と甲板により閉塞されたキャビネットと、前記キャビネットの前板の前面下方に備えられ便座を有する便器と、前記便器の上方で前記前板の前面に取り付けられた背もたれと、を有し、前記甲板の上面の高さが前記背もたれの上面の高さよりも高いトイレユニットにおいて、前記甲板の前面で少なくとも前記背もたれの上方部分を後方に傾斜している傾斜面とした。キャビネットの甲板の前面の一部を後方に傾斜している傾斜面とすることにより、後ろにのけ反った際に肩や首があたっても痛くないものとなる。
【０００７】
また、本発明の好ましい態様によれば、前記甲板の前面で前記背もたれの上方に凹部が形成され、前記凹部の前面が後方に傾斜している傾斜面としたことを特徴とするトイレユニットが提供できる。甲板の前面に凹部を設け、凹部の前面を傾斜部とすることにより、使用者がのけ反った際に首や肩が当たり難くなり、大きくのけ反った際に当たっても痛くないものとなる。
【０００８】
また、本発明の好ましい態様によれば、前記傾斜面に変えて、Ｒ状面としたことを特徴とするトイレユニットが提供できる。前板と甲板の前面を連続した傾斜面とすることにより、使用者がのけ反った際に当たっても痛くないものとなる。
【発明の効果】
【０００９】
本発明によれば、使用者が背もたれに背を当て、さらにのけ反った場合に背中がキャビネットの角に当たって痛くなるのを防止できるという効果がある。
【図面の簡単な説明】
【００１０】
【図１】本発明の実施態様示す模式図である。
【図２】本発明の実施態様示す模式断面図である。
【図３】本発明の実施態様示す模式斜視図である。
【図４】本発明の実施態様示す模式斜視図である。
【図５】本発明の実施態様示す模式断面図である。
【発明を実施するための形態】
【００１１】
以下、図面を参照しつつ、本発明の実施形態について説明する。
図１は、本発明の実施の形態に係るトイレユニットを例示する模式側面図である。
トイレユニット１０は、キャビネット１と、キャビネット１の前面上方に取付けられる背もたれ３と、キャビネット１の前面下方に取付けられる便器４を備える。キャビネット１の上面には甲板２があり、甲板２は背もたれ３より高い位置にある。甲板２の前面Ａ部には前垂れがあり、この前垂れはキャビネット前板の上部を覆うようになっている。また、便器４には使用者がトイレを利用する際に座る便座５を備えている。
【００１２】
背もたれ３はキャビネット１の前面で便器４の上方に取付けられている。背もたれ３は使用者が便座５に着座して後方に寄り掛かると腰や背中をもたれ掛けることができる。また、便座５を上げて使用する場合には、便座５が背もたれ３にあたって戻らないように、便座５を回転させる支軸の位置関係は、上方から見て背もたれの手前側に便座回転軸が配置されている。また、背もたれ３の前面を下になる程手前に出てくるように傾斜させると、腰から背中を十分に支え易くなる。
【００１３】
図２は、図１の甲板２の前面Ａ部を拡大した図である。
使用者が便座５に座り、背中を背もたれ３にもたれた状態で、さらにズボンなどを下ろす際に大きくのけ反る動作を行う。そうした場合、使用者の肩や首が甲板２の前面にあたり、痛みを伴う虞がある。そのため、図２に示すように甲板２の前面の形状を下になる程手前側に出てくるように斜めに傾斜している。図２（１）は、甲板２の前面に前垂れがある例を示しており、この前垂れが下になる程手前側に出てくるように斜めに傾斜している。このように甲板２の前垂れ部分が後方に傾斜している傾斜面とすると使用者が大きくのけ反った際に集中的な角当たりが解消され、肩や首が当たっても、痛みを伴う虞がない。
【００１４】
図２（２）は甲板２の前面を甲板２の厚みにおいて、下になる程手前に出てくるように斜めに傾斜させたものである。このように後方に傾斜している傾斜面とすると使用者が大きくのけ反った際に集中的な角当たりが解消され、肩や首が当たっても、痛みを伴う虞がない。
【００１５】
図２（３）は甲板２の前面を甲板２の厚みにおいて、下になる程手前に出てくるように円弧状にさせたものである。このように円弧状にしておくと、使用者が大きくのけ反った際に集中的な角当たりが解消され、肩や首が当たっても、痛みを伴う虞がない
【００１６】
図３は背もたれ上方の甲板２の前側の一部を斜めにしたものである。具体的には甲板２の前面の背もたれ３の上方部分を下になる程手前に出てくるように斜めに形成した。このように後方に傾斜した傾斜面にすると使用者が大きくのけ反った際に集中的な角当たりが解消され、肩や首が当たっても、痛みを伴う虞がない。ここでは、斜めにしたものを図示したが、図２（３）に示したような円弧状としてもよい。
【００１７】
図４は甲板２の前面に凹部２２を形成し、凹んだ部分の前側に、下になる程手前に出てくるように斜めに傾斜させたものである。このように後方に傾斜している傾斜面とすると使用者が大きくのけ反った際に集中的な角当たりが解消され、肩や首が当たっても、痛みを伴う虞がない。ここでも、傾斜面にしたものを図示したが、図２（３）に示したような円弧状としてもよい。
【００１８】
図５は図４の甲板２において、凹部２２と凹部２２以外の前面の断面を示したものである。図５（１）の凹部２１以外のＢ−Ｂ断面では、甲板２の前面の前垂れは垂直面になっているが、図５（２）の凹部２２の前面２１のＣ−Ｃ断面では、前垂れは下になる程手前に出てくるように斜めに傾斜させている。したがって、使用者が大きくのけ反った際に集中的な角当たりが解消され、万が一肩や首が甲板に当たっても、痛みを伴う虞がない。
【符号の説明】
【００１９】
１…キャビネット
２…甲板
２１…傾斜面
２２…凹部
３…背もたれ
４…便器
５…便座
１０…トイレユニット
１００…床面
１０１…壁面
【図１】
2014034784.tif 000003
【図２】
2014034784.tif 000004
【図３】
2014034784.tif 000005
【図４】
2014034784.tif 000006
【図５】
2014034784.tif 000007